(57)【要約】【課題】光学素子の冷却効率を向上できるプロジェクターを提供すること。【解決手段】プロジェクターにおいて、冷却装置５は、冷却空気Ａ１を吸入する第１冷却ファン５２と、一端側に第１冷却ファン５２が接続されて、冷却空気Ａ１を流通させる内側第１導風路及び外側第１導風路５１１２を有するダクト５１とを備え、内側第１導風路及び外側第１導風路５１１２は、緑色光側の液晶パネル４５１Ｇに向かうにつれて、緑色光側の液晶パネル４５１Ｇから垂直方向に離間する方向に傾斜する傾斜部５１１５を備えている。【選択図】図６
2010262152.tif 000002
【特許請求の範囲】
【請求項１】
入射光束を光学的に変換する光学素子に対して冷却空気を送風する冷却装置を備えたプロジェクターであって、
前記冷却装置は、
冷却空気を吸入する冷却ファンと、
一端側に前記冷却ファンが接続されて、冷却空気を流通させる導風路を有するダクトとを備え、
前記導風路は、
前記光学素子に向かうにつれて、前記光学素子から垂直方向に離間する方向に傾斜する傾斜部を備えている
ことを特徴とするプロジェクター。
【請求項２】
請求項１に記載のプロジェクターにおいて、
前記導風路は、
冷却空気を流通させる方向に向けて縮径している
ことを特徴とするプロジェクター。
【発明の詳細な説明】
【技術分野】
【０００１】
本発明は、プロジェクターに関する。
【背景技術】
【０００２】
従来、外部から冷却空気を吸入して吐出する冷却ファンと、当該冷却ファンに接続されて光変調装置に冷却空気を流出するダクトとを備えるプロジェクターが知られている（例えば、特許文献１参照）。
ところで、光変調装置は、光源から射出された光束を変調する際、光束の一部を吸収する。光変調装置が光束の一部を吸収すると、光変調装置自体の温度が上昇し、過熱により損傷を生じるおそれがある。
【０００３】
ここで、冷却ファンから吐出される冷却空気は、ダクト内において、光変調装置への入射光束の光軸の直交する方向に流れた後、流出口を介して光変調装置の下方から上方に向けて光変調装置の光入射面及び光射出面に沿って流れる。これにより、光変調装置が冷却される。
【先行技術文献】
【特許文献】
【０００４】
【特許文献１】特開２００５−３３８２３６号公報
【発明の概要】
【発明が解決しようとする課題】
【０００５】
しかしながら、特許文献１に記載のプロジェクターでは、冷却空気は、流出口を介してダクト外部に流出する前に、ダクト内部において、光変調装置への入射光束の光軸の直交する方向に方向を変えているため、流出口の開口面に対して斜め方向に流出して、矩形状に形成された光変調装置の対角線に沿うように流れてしまう。そのため、光変調装置の光入射面及び光射出面の一部に冷却空気が流れないおそれがあり、光変調装置（光学素子）が均一に冷却されないという問題がある。
【０００６】
本発明の目的は、光学素子の冷却効率を向上できるプロジェクターを提供することにある。
【課題を解決するための手段】
【０００７】
本発明のプロジェクターは、入射光束を光学的に変換する光学素子に対して冷却空気を送風する冷却装置を備えたプロジェクターであって、前記冷却装置は、冷却空気を吸入する冷却ファンと、一端側に前記冷却ファンが接続されて、冷却空気を流通させる導風路を有するダクトとを備え、前記導風路は、前記光学素子に向かうにつれて、前記光学素子から垂直方向に離間する方向に傾斜する傾斜部を備えていることを特徴とする。
【０００８】
本発明では、導風路は、光学素子に向かうにつれて、光学素子から垂直方向に離間する方向に傾斜している傾斜部を備えるので、光学素子に機械的に干渉することなく、導風路を経由した後の冷却空気を光学素子に向けて流通させる流路（以下、流出流路）を確保できる。
これによれば、冷却空気は、導風路から流出流路を経由して、光学素子に対して流れるので、流出流路にて流出口の開口面に対する斜め方向への流通が規制されることとなり、流出口の開口面に対して略直交する方向に流出することとなる。すなわち、光学素子の光入射面及び光射出面に対して均一に冷却空気を流すことができ、光学素子の冷却効率を向上できる。
また、導風路は、光学素子に向かうにつれて、光学素子から垂直方向に離間する方向に傾斜している傾斜部を備えるので、導風路と流出流路とが交差する角部分は、Ｒを大きくすることが可能となる。このように、角部分をＲ状に形成すれば、角部分での冷却空気の抵抗を低減し、圧力損失を低減できる。すなわち、冷却空気の流量や流速が低減することなく、流出流路から光学素子に対して冷却空気を良好に流出でき、冷却効率を向上できる。
【０００９】
本発明のプロジェクターでは、前記導風路は、冷却空気を流通させる方向に向けて縮径していることが好ましい。
本発明では、導風路は、冷却空気を流通させる方向に向けて縮径しているので、冷却空気の流速を高めることができ、光学素子をさらに良好に冷却できる。
【図面の簡単な説明】
【００１０】
【図１】本発明の第１実施形態に係るプロジェクターの概略構成を模式的に示す図。
【図２】前記第１実施形態における冷却装置、光学装置、及び偏光変換素子等を模式的に示す斜視図。
【図３】前記第１実施形態におけるダクトを前方上方側から見た斜視図。
【図４】前記第１実施形態におけるダクトの前方下方側から見た斜視図。
【図５】前記第１実施形態におけるダクトの底面図。
【図６】図２でのＶＩ−ＶＩ線断面図。
【図７】本発明の第２実施形態に係る要部を示す断面図。
【発明を実施するための形態】
【００１１】
［第１実施形態］
以下、本発明に係る第１実施形態を図面に基づいて説明する。
［プロジェクターの構成］
図１は、プロジェクター１の概略構成を模式的に示す図である。
なお、以下では、プロジェクター１において投射側（投射レンズ３が配置された側）を「前面」とし、その反対側を「背面」とする。また、図１における図面視手前側を天面側、奥側を底面側とする。また、以下で記載する「左」、「右」は、プロジェクター１を天面が上側となるようにして、前面から見た時の左右に相当するものである。
プロジェクター１は、画像情報に応じた画像を形成してスクリーン（図示略）上に投射する。このプロジェクター１は、図１に示すように、略直方体状の外装筐体２と、投射レンズ３と、光学ユニット４と、プロジェクター１内部の各構成部材を冷却する冷却装置５と、具体的な図示を省略したが、プロジェクター１内部の各構成部材を制御する制御装置等とを備える。
【００１２】
外装筐体２は、全体略直方体形状を有し、本実施形態では合成樹脂により形成されている。この外装筐体２は、プロジェクター１の天面、前面、背面、及び側面をそれぞれ構成するアッパーケース、及びプロジェクター１の底面、前面、背面、及び側面をそれぞれ構成するロアーケース等で構成される。そして、各ケースは、互いにねじ等で固定されている。なお、外装筐体２は、合成樹脂等に限らず、その他の材料にて形成してもよく、例えば、金属等により構成してもよい。
投射レンズ３は、複数のレンズを組み合わせた組レンズとして構成され、光学ユニット４にて形成された画像光をスクリーン上に拡大投射する。
【００１３】
光学ユニット４は、前記制御装置による制御の下、光源から射出された光束を光学的に処理して画像情報に対応した画像光を形成する。この光学ユニット４は、図１に示すように、光源装置４１と、照明光学装置４２と、色分離光学装置４３と、リレー光学装置４４と、光学装置４５と、光源装置４１から射出された光束の照明光軸Ａが内部に設定された照明光軸Ａに対する所定位置に上述の各光学部品４１〜４５を収納する光学部品用筐体４６とを備える。
【００１４】
光源装置４１は、図１に示すように、光源４１１及びリフレクター４１２等を備える。そして、光源装置４１は、光源４１１から射出された光束がリフレクター４１２によって射出方向が揃えられ、照明光学装置４２に向けて光束を射出する。
【００１５】
照明光学装置４２は、図１に示すように、第１レンズアレイ４２１、第２レンズアレイ４２２、光学素子としての偏光変換素子４２３、及び重畳レンズ４２４を備える。そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が偏光変換素子４２３の入射面に垂直となるように入射し、偏光変換素子４２３にて略１種類の直線偏光光として射出される。偏光変換素子４２３から直線偏光光として射出され、重畳レンズ４２４を介した複数の部分光束は、光学装置４５の後述する液晶パネル４５１上で重畳する。
【００１６】
色分離光学装置４３は、図１に示すように、２枚のダイクロイックミラー４３１，４３２、及び反射ミラー４３３を備え、これらのダイクロイックミラー４３１，４３２、反射ミラー４３３により照明光学装置４２から射出された複数の部分光束を赤、緑、青の３色の色光に分離する機能を有する。
リレー光学装置４４は、図１に示すように、入射側レンズ４４１、リレーレンズ４４３、及び反射ミラー４４２，４４４を備え、色分離光学装置４３で分離された色光、例えば、赤色光を光学装置４５の後述する赤色光側の液晶パネル４５１Ｒまで導く機能を有する。
【００１７】
光学装置４５は、入射した光束を画像情報に応じて変調して画像光を形成する。この光学装置４５は、図１に示すように、３つの液晶パネル４５１（赤色光側の液晶パネルを４５１Ｒ、光学素子としての緑色光側の液晶パネルを４５１Ｇ、青色光側の液晶パネルを４５１Ｂとする）と、各液晶パネル４５１の光路前段側に配置される光学素子としての入射側偏光板４５２と、各液晶パネル４５１の光路後段側に配置される２枚の光学素子としての射出側偏光板４５３と、クロスダイクロイックプリズム４５４とを備える。
【００１８】
３つの入射側偏光板４５２は、色分離光学装置４３で分離された各光束のうち、偏光変換素子４２３で揃えられた偏光方向と略同一の偏光方向を有する偏光光のみ透過させ、その他の光束を吸収するものであり、透光性基板上に偏光膜が貼付されて構成されている。
３つの射出側偏光板４５３は、入射側偏光板４５２と略同様の機能を有し、液晶パネル４５１を介して射出された光束のうち、一定方向の偏光光を透過し、その他の光束を吸収する。
【００１９】
クロスダイクロイックプリズム４５４は、射出側偏光板４５３から射出された色光毎に変調された各色光を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され各射出側偏光板４５３を介した各色光を反射する。このようにして、各色光が合成されて画像光が形成される。
【００２０】
［冷却装置の構成］
図２は、本実施形態の要部を示す斜視図であり、具体的には、冷却装置５に光学装置４５、及び偏光変換素子４２３等が配置された状態を背面側から見た斜視図である。
冷却装置５は、液晶パネル４５１、入射側偏光板４５２、射出側偏光板４５３、及び偏光変換素子４２３に対して冷却空気を送風するものであり、図２に示すように、ダクト５１と、冷却ファンとしての第１冷却ファン５２と、第２冷却ファン５３とを備えている。
【００２１】
［ダクトの構成］
図３は、ダクト５１の斜視図であり、具体的には、ダクト５１を前面上方側から見た斜視図である。図３中の矢印は、冷却空気の流れ方向を示している。
図４は、ダクト５１の斜視図であり、具体的には、ダクト５１を前面下方側から見た斜視図である。
図５は、ダクト５１の底面図である。
図６は、図２のＶＩ−ＶＩ線断面図である。
ダクト５１は、図５に示すように、平面視略Ｌ字状に形成されたダクトとしての第１ダクト部５１１と、第１ダクト部５１１のＬ字部分の内側に位置する平面視略Ｌ字状の第２ダクト部５１２とで一体形成されている。これら各ダクト部５１１，５１２は、図６に示すように、底面側が開口した容器形状を有し、開口部分が図示しない外装筐体２の底面部にて閉塞されるように当該底面部に取り付けられる。
なお、各ダクト部５１１，５１２の詳細な構成については後述する。
【００２２】
［冷却ファンの構成］
第１、第２冷却ファン５２，５３は、図１に示すように、投射レンズ３の右側面側に配設され、図２、３に示すように、シロッコファンで構成される。本実施形態では、第１、第２冷却ファン５２，５３は、同一構造を有している。また、第１、第２冷却ファン５２，５３は、図２に示すように、空気を吸入する吸入口５２１，５３１と、空気を吐出する吐出口５２２，５３２とを備えている。そして、図２に示すように、第１冷却ファン５２の吐出口５２２は、第１ダクト部５１１の一端側に接続され、第２冷却ファン５３の吐出口５３２は、第２ダクト部５１２の一端側に接続される。
外装筺体１の側面には、図１に示すように、吸気口６が備えられており、第１、第２冷却ファン５２，５３の各吸入口５２１，５３１（図２参照）は、吸気口６に対向するように配置されている。そして、吸気口６からプロジェクター１の外部の空気が、第１、第２冷却ファン５２，５３の吸入口５２１，５３１（図２参照）に吸入される。
【００２３】
第１冷却ファン５２は、図２に示すように、吸気口６（図１参照）から外部の空気を吸入し、冷却空気Ａ１（図３〜図５参照）として冷却対象である緑色光側の液晶パネル４５１Ｇ、入射側偏光板４５２、射出側偏光板４５３、及び偏光変換素子４２３に対して第１ダクト部５１１を介して吐出する。
第２冷却ファン５３も同様に、図２に示すように、吸気口６（図１参照）から外部の空気を吸入し、冷却空気Ａ２（図３〜図５参照）として冷却対象である赤、青色光側の液晶パネル４５１Ｒ，４５１Ｂ、入射側偏光板４５２、及び射出側偏光板４５３に対して第２ダクト部５１２を介して吐出する。
【００２４】
［第１ダクト部の構成］
第１ダクト部５１１は、図３に示すように、一端側から背面側へ延出した後、当該延出方向と略直交する方向に曲げられて、背面に沿って延出している。そして、第１冷却ファン５２から吐出される冷却空気Ａ１は、緑色光側の液晶パネル４５１Ｇの光入射面及び光射出面に略平行となる方向に、第１ダクト部５１１を辿る。
第１ダクト部５１１は、図４、５に示すように、円弧状の整流板１１で導風路としての内側第１導風路５１１１と、導風路としての外側第１導風路５１１２とに分岐されている。この際、内側第１導風路５１１１の内径は、外側第１導風路５１１２の内径より小さく形成され、内側第１導風路５１１１を辿る冷却空気Ａ１１の流量は、外側第１導風路５１１２を辿る冷却空気Ａ１２の流量よりも少なくなるように設定されている。
各第１導風路５１１１，５１１２は、第１冷却ファン５２から吐出される冷却空気Ａ１を液晶パネル４５１Ｇの光入射面及び光射出面に略平行となるように流通させる。
ここで、第１ダクト部５１１の内側第１導風路５１１１を辿る冷却空気Ａ１１は、図５に示すように、後述する第２ダクト部５１２の外側導風路５１２１を辿る冷却空気Ａ２１と合流する。
【００２５】
第１ダクト部５１１の長手方向に沿って延出している途中の天面側には、図３に示すように、前後方向に沿って並設されて構成される緑側冷却用流出口５１１Ａが形成されている。また、第１ダクト部５１１の他端側の天面側には、流出口５１１Ｂが形成されている。
【００２６】
第１ダクト部５１１には、図４、５に示すように、各第１導風路５１１１，５１１２を辿る冷却空気Ａ１１，Ａ１２，Ａ２１を上方に向けて流通させる内側第２導風路５１１３及び外側第２導風路５１１４が形成されている。
各第２導風路５１１３，５１１４は、図５に示すように、冷却空気Ａ１１，Ａ１２，Ａ２１を緑側冷却用流出口５１１Ａを介して上方に向けて流出させて、液晶パネル４５１Ｇに導く。
【００２７】
以下では、図６を参照して説明するが、図示の都合上、外側第１導風路５１１２のみを図示しているため、外側第１導風路５１１２について説明する。内側第１導風路５１１１については説明を省略しているが、外側第１導風路５１１２と同様である。
第１ダクト部５１１の天面側は、図２、３、６に示すように、上流側から下流側に向かうにつれて、垂直方向（底面側）に向けて傾斜する傾斜部５１１５が形成されている。
これにより、第１ダクト部５１１は、図６に示すように、外側第１導風路５１１２の内径が縮小するようにテーパ状に形成される。具体的には、上流側での外側第１導風路５１１２の径寸法Ｌ１が、下流側に向かうにつれて縮径し、径寸法Ｌ２となり、外側第１導風路５１１２と外側第２導風路５１１４とが交差する角部分は、Ｒを大きくすることができ、この際、図６に示すように、交差する角部分がＲ状（湾曲状）に形成される。
【００２８】
緑側冷却用流出口５１１Ａは、図３ないし図５に示すように、前面側から第１流出口５１１Ａ１と、第２流出口５１１Ａ２とを備えている。
第１流出口５１１Ａ１は、図３ないし図５に示すように、矩形状に形成されて、内側第２導風路５１１３に形成されている。
上述したように、第１冷却ファン５２から吐出されて内側第１導風路５１１１を辿る冷却空気Ａ１１（図５参照）と、第２ダクト部５１２の後述する外側導風路５１２１を辿る冷却空気Ａ２１（図５参照）とが合流する。
内側第１導風路５１１１を辿る合流した冷却空気Ａ１１，Ａ２１（図５参照）は、整流板１２に当たって、内側第２導風路５１１３を辿り、第１流出口５１１Ａ１から、緑色光側の液晶パネル４５１Ｇの光射出面に上方向に沿って流出する（図３中の矢印Ｇ１）。
【００２９】
第２流出口５１１Ａ２は、図３ないし図５に示すように、矩形状に形成され、第１流出口５１１Ａ１の開口面積よりも大きく形成されている。また、第２流出口５１１Ａ２は、図４、５に示すように、外側第２導風路５１１４に形成されている。
そして、外側第１導風路５１１２を辿る冷却空気Ａ１２（図５参照）の一部は、整流板１３に当たって、外側第２導風路５１１４を辿り、第２流出口５１１Ａ２から、緑色光側の液晶パネル４５１Ｇの光入射面に上方向に沿って流出する（図３中の矢印Ｇ２）。
【００３０】
流出口５１１Ｂは、図３ないし図５に示すように、第１ダクト部５１１の端部に矩形状に形成されている。
直線状の整流板１４に案内された冷却空気Ａ１２は、図３、４に示すように、天面側に突出した整流板１５に当たって、流出口５１１Ｂから偏光変換素子４２３に上方向に沿って流出する（図３中の矢印Ｐ１）。
【００３１】
［第２ダクト部の構成］
第２ダクト部５１２は、図３に示すように、第１ダクト部５１１と同様に、一端側から背面側に延出して、当該延出方向と略直交する方向に曲げられて、背面側に沿って延出している。そして、冷却ファン５３から吐出された冷却空気Ａ２は、赤、青色光側の液晶パネル４５１Ｒ，４５１Ｂの光入射面及び光射出面に略直交する方向に、第２ダクト部５１２を辿る。また、第２ダクト部５１２のＬ字の外側部分は、第１ダクト部５１１のＬ字の内側部分と一体化して形成されている。
第２ダクト部５１２は、図４、５に示すように、円弧状の整流板１６で外側導風路５１２１と、内側導風路５１２２とに分岐されている。この際、外側導風路５１２１の内径は、内側導風路５１２２の内径より小さく形成され、外側導風路５１２１を辿る冷却空気Ａ２１の流量は、内側導風路５１２２を辿る冷却空気Ａ２２の流量よりも少なくなるように設定されている。
【００３２】
第２ダクト部５１２の天面側には、図３に示すように、右側面側から、左右方向に沿って並設される赤側冷却用流出口５１２Ａと、左右方向に沿って並設される青側冷却用流出口５１２Ｂとが形成されている。
【００３３】
赤側冷却用流出口５１２Ａは、図３ないし図５に示すように、右側面側から第１流出口５１２Ａ１と、第２流出口５１２Ａ２と、第３流出口５１２Ａ３とを備えている。
第１流出口５１２Ａ１は、図４、５に示すように、矩形状に形成されて、内側導風路５１２２に形成されている。この第１流出口５１２Ａ１は、図６に示すように、内側導風路５１２２を辿る冷却空気Ａ２２を整流板１９を介して、入射側偏光板４５２の光入射面に上方向に沿って流出させる（図３中の矢印Ｒ１）。
第２流出口５１２Ａ２は、図４、５に示すように、矩形状に形成されて、内側導風路５１２２に形成されている。この第２流出口５１２Ａ２は、図６に示すように、内側導風路１２２を辿る冷却空気Ａ２２を整流板２０を介して、赤色光側の液晶パネル４５１Ｒの光入射面に上方向に沿って流出させる（図３中の矢印Ｒ２）。
第３流出口５１２Ａ３は、図４、５に示すように、矩形状に形成されて、内側導風路５１２２に形成されている。この第３流出口５１２Ａ３は、図６に示すように、内側導風路５１２２を辿る冷却空気Ａ２２を整流板２５を介して、射出側偏光板４５３に上方向に沿って流出させる（図３中の矢印Ｒ３）。
【００３４】
青側冷却用流出口５１２Ｂは、図３ないし図５に示すように、左側面側から第１流出口５１２Ｂ１と、第２流出口５１２Ｂ２と、第３流出口５１２Ｂ３と、第４流出口５１２Ｂ４とを備えている。
第１流出口５１２Ｂ１は、図５に示すように、矩形状に形成されて、内側導風路５１２１に形成されている。この第１流出口５１２Ｂ１は、図６に示すように、第２冷却ファン５３から吐出される冷却空気Ａ２２を整流板２２を介して、入射側偏光板４５２に上方向に沿って流出させる（図３中の矢印Ｂ１）。
第２流出口５１２Ｂ２は、図５に示すように、矩形状に形成されて、内側導風路５１２１に形成されている。この第２流出口５１２Ｂ２は、図６に示すように、第２冷却ファン５３から吐出される冷却空気Ａ２２を整流板２１を介して、入射側偏光板４５２の光射出面、及び青色光側の液晶パネル４５１Ｂの光入射面に上方向に沿って流出させる（図３中の矢印Ｂ２）。
第３流出口５１２Ｂ３は、図５に示すように、矩形状に形成されて、内側導風路５１２１に形成されている。この第３流出口５１２Ｂ３は、図６に示すように、第２冷却ファン５３から吐出される冷却空気Ａ２２を整流板２４を介して、青色光側の液晶パネル４５１Ｂの光射出面に上方向に沿って流出させる（図３中の矢印Ｂ３）。
第４流出口５１２Ｂ４は、図５に示すように、矩形状に形成されて、内側導風路５１２１に形成されている。この第４流出口５１２Ｂ４は、図６に示すように、第２冷却ファン５３から吐出される冷却空気Ａ２２を整流板２３を介して、射出側偏光板４５３に上方向に沿って流出させる（図３中の矢印Ｂ４）。
【００３５】
上述した第１実施形態のプロジェクター１によれば、以下の効果がある。
本実施形態によれば、各第１導風路５１１１，５１１２は、上流側から下流側に向かうにつれて、底面部に向けて傾斜する傾斜部５１１５を備えるので、緑色光側の液晶パネル４５１Ｇに機械的に干渉することなく、各第１導風路５１１１，５１１２を経由した後の冷却空気Ａ１１，Ａ１２，Ａ２１を緑色光側の液晶パネル４５１Ｇに向けて流通させる各第２導風路５１１３，５１１４が形成することができる。これによれば、冷却空気Ａ１１，Ａ１２，Ａ２１は、各第１導風路５１１１，５１１２から各第２導風路５１１３，５１１４を経由して、緑色光側の液晶パネル４５１Ｇに対して流れるので、各第２導風路５１１３，５１１４にて緑側冷却用流出口５１１Ａの開口面に対する斜め方向への流通が規制されることとなり、緑側冷却用流出口５１１Ａの開口面に対して略直交する方向に流出することとなる。すなわち、緑色光側の液晶パネル４５１Ｇの光入射面及び光射出面に対して均一に冷却空気Ａ１１，Ａ１２，Ａ２１を流すことができ、緑色光側の液晶パネル４５１Ｇの冷却効率を向上できる。
【００３６】
また、各第１導風路５１１１，５１１２は、上流側から下流側に向かうにつれて、底面部に向けて傾斜する傾斜部５１１５を備えるので、各第１導風路５１１１，５１１２と各第２導風路５１１３，５１１４とが交差する角部分のＲを大きくすることが可能となる。このように、角部分をＲ状に形成すれば、角部分での冷却空気の抵抗を低減し、圧力損失を低減できる。すなわち、冷却空気Ａ１１，Ａ１２，Ａ２１の流量や流速が低減することなく、各第２導風路５１１３，５１１４から緑色光側の液晶パネル４５１Ｇに対して冷却空気Ａ１１，Ａ１２，Ａ２１を良好に流出でき、冷却効率を向上できる。
さらに、各第１導風路５１１１，５１１２は、上流側から下流側に向けて縮径しているので、冷却空気Ａ１１，Ａ１２，Ａ２１の流速を高めることができ、緑色光側の液晶パネル４５１Ｇをさらに良好に冷却できる。
【００３７】
［第２実施形態］
次に、本発明の第２実施形態を図面に基づいて説明する。
以下の説明では、前記第１実施形態と同様の構造および同一部材には同一符号を付して、その詳細な説明は省略または簡略化する。
前記第１実施形態では、第１ダクト部５１１の各第１導風路５１１１，５１１２の径は、上流側から下流側に向かうにつれて縮径していたが、本実施形態での各第１導風路５１１１，５１１２は、同一径で構成されている点で相違する。
【００３８】
図７は、本実施形態における要部を示す断面図である。なお、図７では、図示の都合上、光学装置４５については、図示を省略する。
傾斜部５１１５は、図７に示すように、上流側から下流側に向かうにつれて傾斜している。そして、上流側での外側第１導風路５１１２の径寸法Ｌ１は、図７に示すように、下流側での外側第１導風路５１１２の径寸法Ｌ２と同一となるように構成されている。
また、ダクト５１の底面側は、図７に示すように、外装筐体２のロアーケース２Ａによって閉塞されている。このロアーケース２Ａの内面は、第１ダクト部５１１の形状に応じて傾斜して形成される。
なお、図７では、図示の都合上、外側第１導風路５１１２のみを図示しているが、内側第１導風路５１１１についても同様の構成である。
【００３９】
上述した第２実施形態のプロジェクター１によれば、前記第１実施形態と同様の効果を奏する。
【００４０】
［実施形態の変形］
なお、本発明は前述の実施形態に限定されるものではなく、本発明の目的を達成できる範囲での変形、改良等は本発明に含まれるものである。
前記各実施形態では、第１ダクト部５１の天面側を傾斜させて、内側第１導風路５１１１及び外側第２導風路５１１２を傾斜させていたが、第１ダクト部５１の天面側の肉厚を厚くして傾斜させて、天面側を平坦にする構成にしてもよい。
【００４１】
前記各実施形態では、光学ユニット４は平面視略Ｌ字形状を有した構成としたが、これに限らず、例えば、平面視略Ｕ字形状を有した構成を採用してもよい。
前記各実施形態では、透過型の液晶パネル４５１を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
【産業上の利用可能性】
【００４２】
本発明は、プレゼンテーションやホームシアターに用いられるプロジェクターに利用できる。
【符号の説明】
【００４３】
１…プロジェクター、５…冷却装置、５２…第１冷却ファン（冷却ファン）、４２３…偏光変換素子（光学素子）、４５１Ｇ…緑色光側の液晶パネル（光学素子）、４５２…入射側偏光板（光学素子）、４５３…射出側偏光板（光学素子）、５１１…第１ダクト部（ダクト）、５１１１…内側第１導風路（導風路）、５１１２…外側第１導風路（導風路）、５１１５…傾斜部。
【図１】
2010262152.tif 000003
【図２】
2010262152.tif 000004
【図３】
2010262152.tif 000005
【図４】
2010262152.tif 000006
【図５】
2010262152.tif 000007
【図６】
2010262152.tif 000008
【図７】
2010262152.tif 000009